(57)【要約】【課題】汎用されている梱包箱を用いて、容易に垂直方向に対する耐荷重性を向上させること。【解決手段】正面側に蓋１３付きの開口部１２を備えた箱型形状の形態を有する箱状本体１５と、少なくとも開口部１２を囲む左右の側面部分１６と重なるように、箱状本体１５の内側に着脱可能に装着される補強部材３０と、を備え、補強部材３０は段ボール紙３０Ａから構成されると共に、該段ボール紙３０Ａを貫通するように設けられる中芯３７の貫通方向が側面部分１６の高さ方向と一致することを特徴とする。【選択図】図２
2009280269.tif 000002
【特許請求の範囲】
【請求項１】
正面側に蓋付きの開口部を備えた箱型形状の形態を有する箱状本体と、
少なくとも上記開口部を囲む左右の側面部分と重なるように、上記箱状本体の内側に着脱可能に装着される補強部材と、
を備え、
上記補強部材は段ボール紙から構成されると共に、該段ボール紙を貫通するように設けられる中芯の貫通方向が上記側面部分の高さ方向と一致することを特徴とする梱包箱。
【請求項２】
前記補強部材は、前記側面部分と対応するように段ボール紙を折り曲げて形成されることを特徴とする請求項１記載の梱包箱。
【請求項３】
前記補強部材は、前記側面部分と対応するような筒形状を呈していることを特徴とする請求項１または２記載の梱包箱。
【発明の詳細な説明】
【技術分野】
【０００１】
本発明は、物品の梱包に用いられる梱包箱に関する。
【背景技術】
【０００２】
従来から、無停電電源装置等の電源装置は、コンピュータシステムなどの機能維持に重大な影響を及ぼすため、その運用、維持および管理には特別な配慮が払われている。これらの電源装置には電源としてバッテリが使用されているため、一定期間保管すると、バッテリの補充電が必要となる。しかしながら、当該電源装置は重量を有するため、バッテリを充電する毎に、当該装置を梱包箱から取り出すのではバッテリの充電作業に労力がかかってしまう。したがって、当該電源装置を梱包箱に収納した状態でバッテリの補充電を行うことが要求される。
【０００３】
また、当該電源装置は、収納スペースを有効活用するために、何段にも積み重ねて配置されることがある。この場合、収納される梱包箱の強度が弱いと、下側に配置されている梱包箱が、積み重ねられていると共に電源装置を内包する梱包箱の自重によって押しつぶされてしまうといった問題が発生する。
【０００４】
特許文献１には、箱本体の正面側に開口部を有すると共に、当該開口部の両側に、垂直方向に対する耐荷重性の強化を図るための三角柱状の補強部が設けられた梱包箱が開示されている。
【０００５】
【特許文献１】特開平１１−１０５８５５号公報（要約書）
【発明の開示】
【発明が解決しようとする課題】
【０００６】
特許文献１に開示される梱包箱では、本体側面から連続して一体に突出形成された補強部形成辺を折り曲げて補強部が形成されている。また、補強部形成辺の先端に係合突出部を設け、この係合突出部を本体側に設けられたスリットに係合させることで、補強部を箱本体に対して固定させている。このため、予め、箱本体に補強部形成辺を設けなければならず、一般に汎用されている梱包箱を利用することができない。その結果、加工が複雑となる分だけ、コストがかかってしまう。また、係合突出部とスリットとの位置合わせが必要となり、製造作業が複雑化するといった問題がある。
【０００７】
本発明は、かかる問題に鑑みてなされたものであり、その目的とするところは、汎用されている梱包箱を用いて、容易に垂直方向に対する耐荷重性を向上させることが可能な梱包箱を提供しようとするものである。
【課題を解決するための手段】
【０００８】
上記課題を解決するために、本発明の梱包箱は、正面側に蓋付きの開口部を備えた箱型形状の形態を有する箱状本体と、少なくとも開口部を囲む左右の側面部分と重なるように、箱状本体の内側に着脱可能に装着される補強部材と、を備え、補強部材は段ボール紙から構成されると共に、該段ボール紙を貫通するように設けられる中芯の貫通方向が側面部分の高さ方向と一致するものである。
【０００９】
このように構成した場合には、梱包箱の正面側に開口部を有するため、無停電電源装置等の電源装置を梱包箱の内部に収納した場合、横方向から蓋を開けて電源装置等のバッテリの補充電を行うことが可能となる。また、補強部材は段ボール紙の中芯方向が側面部分の高さ方向と一致するため、補強部材を左右の側面部分に配置することにより梱包箱の垂直方向の強度を向上させることが可能となる。したがって、電源装置等を梱包箱に収納して、積み重ねて配置しても、下の段の梱包箱が上に積み重ねられた電源装置等の自重によって押しつぶされることがなくなる。このため、電源装置を該梱包箱に収納して積み重ねて配置することが可能となり、下の段に配置された電源装置のバッテリの補充電を、上の段に積み重ねられた電源装置を取り除くことなく行うことが可能となる。したがって、バッテリを補充電するための作業効率の向上を図ることが可能となる。さらに、補強部材を箱状本体の内側に装着するだけで、垂直方向の強度を向上させることが可能であるため、箱状本体として一般に汎用されるものを用いつつ、容易に垂直方向の強度を向上させることが可能となる。
【００１０】
また、他の発明は、上述の発明に加えて更に、補強部材は、側面部分と対応するように段ボール紙を折り曲げて形成されるものである。このように構成した場合には、容易に、かつコストをかけることなく補強部材を形成することが可能となる。
【００１１】
さらに、他の発明は、上述の発明に加えて更に、補強部材は、側面部分と対応するような筒形状を呈しているものである。このように構成した場合には、補強部材を容易に形成することが可能となると共に、梱包箱の垂直方向の耐荷重性を向上させることが可能となる。
【発明の効果】
【００１２】
本発明によると、汎用されている梱包箱を用いて、容易に垂直方向に対する耐荷重性を向上させることができる。
【発明を実施するための最良の形態】
【００１３】
以下、本発明の一実施の形態に係る梱包箱１０について、図面を参照しながら説明する。なお、以下の説明において、図１〜図３、図５および図６に示す矢示Ｘ１方向を正面、矢示Ｘ２方向を奥、このＸ１方向とＸ２方向と水平方向で直交する方向となる矢示Ｙ１方向を左、矢示Ｙ２方向を右、このＸＹ平面と直交する方向の矢示Ｚ１方向を上および矢示Ｚ２方向を下とそれぞれ規定する。また、本実施の形態では、梱包箱１０に無停電電源装置を収納する場合を例として説明する。
【００１４】
図１は、本発明の一実施の形態に係る梱包箱１０の斜視図であり、蓋部１３を開いた状態を示す図である。図２は、本発明の一実施の形態に係る梱包箱１０の構成を示す分解斜視図であり、箱状本体１５と補強部材３０を分離させた状態を示す図である。図３は、本発明の一実施の形態に係る梱包箱１０の斜視図であり、蓋部１３を閉じた状態を示す図である。図４は補強部材３０の構成を説明するための図であり、（Ａ）は段ボール紙３０Ａの平面図であり、（Ｂ）は、（Ａ）における段ボール紙３０Ａを折り曲げて形成した補強部材３０を矢示Ａ方向から見た側面図であり、（Ｃ）は、（Ａ）における段ボール紙３０Ａを矢示Ｂ方向から見た正面図である。
【００１５】
図１に示すように、梱包箱１０は、正面側に開口部１２を有する有底状の箱体である。また、梱包箱１０は、開閉可能な蓋部１３を備えている。無停電電源装置は、蓋部１３を開いた状態で開口部１２から開口空間１４内に配置され、当該蓋部１３を閉じることによって梱包箱１０の内部に収納される。
【００１６】
図１および図２に示すように、梱包箱１０は、箱状本体１５と、該箱状本体１５の内側に配置される補強部材３０とを有する。箱状本体１５は、略直方体の箱形状を呈しており、上述した蓋部１３と、上下左右の４つの側面部分を構成する側面部１６と、箱状本体１５の奥側を閉塞する底部１７とを有している。蓋部１３は、開口部１２の上端部および下端部から延出する矩形状の縦蓋１８，１８と、該開口部１２の左端部および右端部から延出する矩形状の横蓋１９，１９とを有する。縦蓋１８および横蓋１９は開口部１２を境界として側面部１６に対して折り曲げ可能となっている。また、縦蓋１８の付け根から先端まで長さは箱状本体１５の高さ寸法の約１／２の大きさとされており、横蓋１９の付け根から先端までの長さは箱状本体１５における左右方向の幅寸法の約１／３以上２／３以下の範囲の大きさとされている。このため、横蓋１９，１９を山折りに折り曲げた後、その外側から縦蓋１８，１８を山折りに折り曲げると、図３に示すように開口部１２が縦蓋１８，１８によって閉塞される。
【００１７】
側面部１６は、箱状本体１５において上下左右のそれぞれの側面部分を形成する矩形状の上側部２１と、下側部２２と、左側部２３と、右側部２４とを有する（図２参照）。本実施の形態では、箱状本体１５の材料として、段ボール紙が用いられているが、箱状本体１５の材料は段ボール紙に限定されるものではなく、厚紙や樹脂等の他の材料を用いても良い。
【００１８】
図２に示すように、補強部材３０は四角形の断面を有する蓋無し、底部無しの筒形状を呈している。また、補強部材３０は、その周方向（図２中の矢示Ｃ方向）に沿って後述する中芯３７を有している。補強部材３０は、箱状本体１５の開口部１２から箱状本体１５の内側に挿入する形で装着される。補強部材３０は、その外形形状が、箱状本体１５の開口空間１４の形状と略同一形状となるように形成されている。具体的には、補強部材３０の上下左右の各側面部分を構成する上補強部３１、下補強部３２、左補強部３３、右補強部３４が、箱状本体１５の上側部２１、下側部２２、左側部２３、右側部２４と対応するように設けられている。このため、補強部材３０を箱状本体１５に装着すると、補強部材３０は側面部１６の内側に重なった（接触した）状態で配置される（図１参照）。具体的には、補強部材３０の上補強部３１、下補強部３２、左補強部３３、右補強部３４の外側面が、箱状本体１５の上側部２１、下側部２２、左側部２３、右側部２４の内側面とそれぞれ接触した状態となる。
【００１９】
補強部材３０は、矩形状の形態を有する段ボール紙３０Ａを、図４（Ａ）に示す各波線Ｈに沿って略９０度の角度で谷折りし、該段ボール紙３０Ａの長手方向の上端部３５ａと下端部３５ｂを突き合わせ、当該上端部３５ａと下端部３５ｂとが突き合わされた会合部３６（図４（Ｂ）参照）を、例えば、接着テープ等によって固定することにより形成される。すなわち、段ボール紙３０Ａを３箇所の波線Ｈに沿って略９０度の角度で谷折りすることで、断面四角形の筒形状の形態を形成させている。本実施の形態では、図４（Ａ）に示すように、段ボール紙３０Ａにおいて、波線Ｈによって区分けされた領域は、上から順に、右補強部３４、上補強部３１、左補強部３３、下補強部３２を構成している。このような構成のため、段ボール紙３０Ａを折り曲げて補強部材３０を形成した場合、図４（Ｂ）における右下方に会合部３６が形成される。なお、本実施の形態では、段ボール紙３０Ａを、波線Ｈによって、上から順に、右補強部３４、上補強部３１、左補強部３３、下補強部３２と区分けしたが、このような順番で区分けすることには限定されず、例えば、段ボール紙３０Ａを、波線Ｈによって、上から順に、上補強部３１、左補強部３３、下補強部３２、右補強部３４と区分けするようにしても良い。また、段ボール紙３０Ａの短手方向の長さは、箱状本体１５の開口部１２から底部１７までの長さと略同一とされている。
【００２０】
また、図４（Ｃ）に示すように、段ボール紙３０Ａは、その長手方向（図４（Ａ）中の矢示Ｃ方向）に沿って同一高さとなるような、略波形の中芯３７を有している。この中芯３７は段ボール紙３０Ａを貫通するように図４（Ａ）中の矢示Ｃ方向に沿って設けられている。また、この中芯３７の最も高い位置と最も低い位置はその上下に配置される厚紙と線接触している（この接触する部分を図４（Ａ）において一点鎖線で示す。）。このため、補強部材３０は、その周方向（図２中の矢示Ｃ方向）に沿って中芯３７の高さが同一となるように配置される。したがって、補強部材３０は周方向に対して耐荷重性を有する。補強部材３０を箱状本体１５の内部に装着した状態では、左側部２３および右側部２４の内側に、左補強部３３および右補強部３４がそれぞれ配置される。このため、左側部２３および右側部２４は、上下方向（垂直方向）に中芯３７を有する左補強部３３および右補強部３４によってそれぞれ補強されることになる。したがって、箱状本体１５に補強部材３０を装着することによって、梱包箱１０の垂直方向に対する耐荷重性が向上する。
【００２１】
次に、梱包箱１０の組み立て方法について説明する。
【００２２】
まず、箱状本体１５と、段ボール紙３０Ａを用意する。そして、段ボール紙３０Ａを、図４（Ａ）に示す各波線Ｈに沿って略９０度の角度で谷折りし、上端部３５ａと下端部３５ｂを突き合わせ、当該上端部３５ａと下端部３５ｂとが突き合わされた会合部３６を、接着テープ等によって固定して筒形状の補強部材３０を形成する。なお、このような接着テープ等による固定を行わないようにしても良い。次に、図２に示すように、補強部材３０を箱状本体１５の開口部１２から内側に挿入する。以上のような手順で、補強部材３０を箱状本体１５に装着することによって、梱包箱１０が組み立てられる。
【００２３】
次に、梱包箱１０を積み重ねて使用する場合について説明する。図５は、梱包箱１０を積み重ねた状態を示す斜視図である。
【００２４】
図５に示すように、梱包箱１０は、例えば、別途の補強／位置決め用の発泡スチロールや段ボール紙と共に、無停電電源装置（不図示）を収納した状態で上下に複数段（本実施の形態では４段）に積み重ねられる。梱包箱１０は、例えば、載置台となるパレット４０を所定の場所に配置し、その上に複数段に積み重ねられる。梱包箱１０の内部には補強部材３０が装着されているため、梱包箱１０の垂直方向に対する耐荷重性は強化されている。このため、無停電電源装置を収納した梱包箱１０を複数段に積み重ねても、下の段の梱包箱１０の上に積み重ねられた無停電電源装置の自重によって押しつぶされることがない。特に、補強部材３０が箱状本体１５に内包されることにより、縦蓋１８および横蓋１９が積み重ねられた他の梱包箱によって押しつぶされるのを防止できるので、縦蓋１８および横蓋１９の開閉性を良好に保つことが可能となる。
【００２５】
また、無停電電源装置が梱包された状態では、梱包箱１０の蓋部１３は閉じた状態とされる。この梱包状態では、例えば、縦蓋１８，１８を閉塞させ、その先端同士が突き合わさった会合部１８ａに接着テープ４１が貼り付けられる（図３参照）。ここで、無停電電源装置はバッテリを電源としているため、一定期間保管すると、劣化を防止すべくバッテリの補充電が必要となる。バッテリの補充電は、無停電電源装置を梱包する梱包箱１０の蓋部１３を正面側から開け（図５参照）、充電器を開口部１２から開口空間１４に挿入することによって行われる。上述のように、縦蓋１８および横蓋１９の開閉性を良好に保つことが可能となるので、バッテリの補充電はこれら縦蓋１８および横蓋１９を開いて行うことが可能となり、わざわざバッテリを梱包箱１０から取り出す必要がなくなる。
【００２６】
以上のように構成された梱包箱１０では、正面側に開口部１２を有するため、横方向から蓋部１３を開けて、梱包箱１０に収納される無停電電源装置のバッテリの補充電を行うことが可能となる。また、補強部材３０は、段ボール紙３０Ａの中芯３７の方向が箱状本体１５の高さ方向と一致するように構成されている。このため、補強部材３０を箱状本体１５に装着すると、左補強部３３および右補強部３４が左側部２３および右側部２４の内側に配置され、箱状本体１５の左右の側面部分における垂直方向に対する耐荷重性が強化される。したがって、無停電電源装置を梱包箱１０に収納して、積み重ねて配置した場合でも、下の段に配置された梱包箱１０が上に積み重ねられた無停電電源装置の自重によって押しつぶされることを防止できる。また、無停電電源装置を梱包箱１０に収納して積み重ねて配置できるため、下の段に配置された無停電電源装置のバッテリの補充電を、上の段に積み重ねられた無停電電源装置を取り除くことなく、横方向から蓋部１３を開けて行うことが可能となる。したがって、無停電電源装置のバッテリの補充電を行うための作業効率の向上を図ることが可能となる。また、補強部材３０を箱状本体１５の内側に装着するだけで、梱包箱１０における垂直方向の強度を向上させることが可能であるため、箱状本体１５として一般に汎用されるものを用いつつ、容易に垂直方向の強度を向上させることが可能となる。
【００２７】
また、梱包箱１０では、補強部材３０は、段ボール紙３０Ａを筒状に折り曲げて形成されている。したがって、容易に、かつコストをかけることなく補強部材３０を形成することが可能となる。また、補強部材３０は、上補強部３１および下補強部３２を有すると共に、当該部分は左右方向に沿って中芯３７を有する。このため、梱包箱１０の垂直方向に対する耐荷重性の強化に加えて、左右方向の耐荷重性の強化も図ることが可能となる。
【００２８】
以上、本発明の一実施の形態について説明したが、本発明は上述の形態に限定されることなく、種々変形した形態にて実施可能である。
【００２９】
上述の実施の形態では、梱包箱１０に無停電電源装置を収納する場合が例として示されているが、梱包箱１０に収納されるものは無停電電源装置に限定されるものではなく、直流電源装置や交流電源装置等の他の電源装置としても良いし、電源装置ではない他の電気機器や物品等を収納するようにしても良い。
【００３０】
また、上述の実施の形態では、補強部材３０の形状は筒形状とされているが、補強部材３０の形状は筒形状に限定されるものではなく、例えば、図６に示すような溝形状の形態とし、溝部４５が上方もしくは下方に位置するように、箱状本体１５に装着するようにしても良い。また、補強部材３０を有底状の袋形状に形成し、その底部が箱状本体１５の底部１７と重なるように箱状本体１５内に装着するようにしても良い。また、補強部材３０の手前奥方向の長さは箱状本体１５の深さと略同一とされているが、当該長さを箱状本体１５の深さよりも短くしても良い。
【００３１】
また、上述の実施の形態では、補強部材３０は、段ボール紙３０Ａの上端部３５ａと下端部３５ｂを突き合わせ、当該突き合わされた会合部３６を、接着テープによって固定して形成されているが、会合部３６に接着テープを貼り付けることなく会合部３６を固定しないまま、箱状本体１５に装着するような構成としても良い。また、上端部３５ａまたは下端部３５ｂの先端に折り曲げ可能な貼付代を設け、当該貼付代に接着剤等を介在させて補強部材３０の両端部３５ａ，３５ｂを接着固定するようにしても良い。また、この貼付代に切り込みを設け、両端部３５ａ，３５ｂを係合させるような構成とし、両端部３５ａ，３５ｂを係合固定するようにしても良い。
【００３２】
また、上述実施の形態では、補強部材３０は段ボール紙３０Ａを１重に折り曲げた筒形状を有しているが、段ボール紙３０Ａよりも長さの長い段ボール紙を折り曲げて２重以上に重なった筒形状としても良い。また、補強部材３０の内側に、段ボール紙を折り曲げて形成された筒状の部材を、該補強部材３０の内周面と接触するように重ねて配置させて、補強部材３０を多重構造とするようにしても良い。
【産業上の利用可能性】
【００３３】
本発明の梱包箱は、梱包されることを要する電気機器や電子機器等の各種物品を製造する電気産業、電子産業またはサービス産業等の各種産業において利用することができる。
【図面の簡単な説明】
【００３４】
【図１】本発明の一実施の形態に係る梱包箱の斜視図であり、蓋部を開いた状態を示す図である。
【図２】本発明の一実施の形態に係る梱包箱の構成を示す分解斜視図であり、箱状本体と補強部材を分離させた状態を示す図である。
【図３】本発明の一実施の形態に係る梱包箱の斜視図であり、蓋部を閉じた状態を示す図である。
【図４】図２中の補強部材の構成を説明するための図であり、（Ａ）は段ボール紙の平面図であり、（Ｂ）は、（Ａ）における段ボール紙を折り曲げて形成した補強部材を矢示Ａ方向から見た側面図であり、（Ｃ）は、（Ａ）における段ボール紙を矢示Ｂ方向から見た正面図である。
【図５】本発明の一実施の形態に係る梱包箱を積み重ねた状態を示す斜視図である。
【図６】本発明の一実施の形態に係る梱包箱に用いられる補強部材の変形例を示す図である。
【符号の説明】
【００３５】
１０…梱包箱
１２…開口部
１３…蓋部（蓋）
１５…箱状本体
１６…側面部（側面部分）
３０…補強部材
３０Ａ…段ボール紙
３７…中芯
【図１】
2009280269.tif 000003
【図２】
2009280269.tif 000004
【図３】
2009280269.tif 000005
【図４】
2009280269.tif 000006
【図５】
2009280269.tif 000007
【図６】
2009280269.tif 000008